(57)【特許請求の範囲】
【請求項１】
長手方向側面の夫々に案内溝を有したメインガイド部材と、上記案内溝の夫々に一端が嵌合する２本のアーム片を回転支承する摺動部材と、当該摺動部材をメインガイド部材に対して直交する方向に案内するベースガイド部材とを備えて構成される建物間隙用エキスパンションジョイントにおいて、
上記ベースガイド部材が一方の建物に固定され、上記メインガイド部材が当該メインガイド部材の案内溝に係合するアーム片の先端軸線と平行な軸線回りに回転支承されて他方の建物に連結されるようになっていることを特徴とするエキスパンションジョイント。
【発明の詳細な説明】
【０００１】
【発明の属する技術分野】
本発明は、多軸的な揺動に対して極めて有用な、建物用、特に屋根や外壁の建物間隙のためのエキスパンションジョイントに関するものである。
【０００２】
【従来の技術】
建物間隙用のエキスパンションジョイントは、隣接する建物の夫々に固設されて両建物に掛け渡され、地震やその他の原因に基づく複雑な建物同士の相対的なずれである相対変位に対処し、その際に加えられうる負荷を逃がし、エキスパンションジョイント自体や各建物や無理なストレスがかかることを回避できることが必要である。
【０００３】
そのために従来より様々な提案がなされている。例えば、実開平２−５５０９号公報においては、所定の隙間を隔てて隣接する建造物の両屋根駆体、または屋根駆体と壁駆体との相互に取り付けられる両支持部材の間には、ホルダ部材を弾性体によって支持部材に対し弾発した状態で摺動可能に架設し、前記ホルダ部材には前記両駆体間の隙間及び屋根駆体を覆うカバー部材を装着したエキスパンションジョイントであって、前記屋根駆体側の支持部材には、その駆体面から前記カバー部材の背面にわたって可撓性を有するシール部材を配設したエキスパンションジョイントが開示されている。
【０００４】
【発明が解決しようとする課題】
しかしながら、このような構成のエキスパンションジョイントは、隣接する建物が相互に離接するような相対変位に対しては十分な対処が可能であるが、多軸的で複雑な相対変位、特に上記ホルダ部材がその弾発方向にずらされるような相対変位に対しては、その許容範囲が極めて限られたものにすぎない。
【０００５】
そこで本発明は、地震や微妙な地盤変化等に起因する建物同士の相対的で３次元的なずれに対処して、過剰な負荷を受けることなく建物間隙を塞ぐことができるエキスパンションジョイントを提供することを課題とする。
【０００６】
上記課題を解決するために、本発明に係る建物間隙用エキスパンションジョイントは、長手方向側面の夫々に案内溝を有したメインガイド部材と、上記案内溝の夫々に一端が嵌合する２本のアーム片を回転支承する摺動部材と、当該摺動部材をメインガイド部材に対して直交する方向に案内するベースガイド部材とを備えて構成され、上記ベースガイド部材が一方の建物に固定され、上記メインガイド部材が当該メインガイド部材の案内溝に係合するアーム片の先端軸線と平行な軸線回りに回転支承されて他方の建物に連結されるようになっている。
【０００８】
【発明の実施の形態】
本発明の詳細を、図に示された４つの実施形態に基づいて、説明する。
図１に本発明の第１の実施形態である屋根用エキスパンションジョイントを部分的に透視状態で概略的な斜視図として、また図２にその側面から見た構成を示す。長手方向側面の夫々に（図２では片面のみ現れている）長手方向溝５を有したメインガイド部材６が、隣接する建物の屋根駆体１，２の間に渡されている。この方向をＸ軸方向とする。したがって、メインガイド部材６の長手方向はＸ軸方向に一致する。またＸ軸と共に地面と平行な面を構成し当該Ｘ軸と垂直な方向をＹ軸方向とする。更に地面に対し鉛直な方向をＺ軸方向と定める。
【０００９】
本エキスパンションジョイントでは、上記溝５の夫々に一端が嵌合する２本のアーム片７を回転支承する摺動部材８が、基準位置において、Ｙ軸に関して線対称に対で備えられている（図１では図示のシンプル化のため、手前側のアーム片のみ示す）。当該摺動部材８を夫々そのアーム片７に対しほぼ直交する方向、即ち、Ｙ軸方向に案内するベースガイド部材９が、互いに平行に夫々屋根駆体１，２上でＹ軸方向に配設されている。当該ベースガイド部材９は植込ボルト１１を用いて屋根駆体１，２に据え付けられている。そして合計で４本のアーム片７は夫々組み込まれたコイルバネ（図１参照）によってベースガイド部材の方へ、即ち、Ｚ軸方向下向きに回転付勢されている。
【００１０】
更に本エキスパンションジョイントには、メインガイド部材６の長手方向両端に夫々屋根ブラケット１２の内側突起片（図示せず）が嵌め込まれ、当該屋根ブラケット１２の内面側に装着されたＦフレーム１３と上記ベースガイド部材９の外面との間に、弾力性を有したサイド止水部片１５が掛け渡されている。同じく２つのベースガイド部材９の内面側では、同材質の中央止水部片１６が掛け渡されている。そして、以上の全ての構成部材を覆うように、特にメインガイド部材６上の補強材１９にのるように、屋根カバー１８が装着されている。
【００１１】
以上のような構成を有する結果、本エキスパンジョンジョイントは、２つの屋根駆体１，２が相対的に離接する、即ち、Ｘ軸方向で相対変位があると、図３に示すように、それにつれて摺動部材８のアーム片７の先端がメインガイド部材６の溝５内をスライドし、その結果、２つの摺動部材８が互いに離接する。また２つの屋根駆体１，２が互いに平行にＹ軸方向に変位すると、図４に示すように、摺動部材８がベースガイド部材９上を案内される一方で、メインガイド部材６のベースガイド部材９に対する垂直性は維持される。更に２つの屋根駆体１，２が相対的に隆起乃至沈下する、即ち、Ｚ軸方向で相対変位すると、図５に示すように、アーム片７が、その先端がメインガイド部材６の溝５内をスライドしつつ、回動してＺ軸変位に対応する。これらの対応によって、建物の３次元的な変動による建物間の変位を吸収する。特にＺ軸方向、即ち、建物の高さ方向の変動に対し、メインガイド部材の溝を摺動しながらアーム片が回動することで、従来よりも大きな範囲で対応することが可能になった。
【００１２】
図６に第２の実施形態であるエキスパンションジョイントを側面から見た構成で示す。当該エキスパンションジョイントは一方の建物の屋根と他方の建物の壁面の間にわたされている。長手方向（Ｘ軸方向）側面の夫々に長手方向溝５を有したメインガイド部材６のＸ軸方向一端に屋根ブラケット１２が嵌合されている。他端には壁面ブラケット１４が嵌合されている。
【００１３】
上記溝５の夫々に一端が係合する２本のアーム片７を回転支承する摺動部材８は、メインガイド部材６及びアーム片７に直交する、即ち、Ｙ軸方向に延在するベースガイド部材９によって摺動案内されるようになっている。ベースガイド部材９が植込ボルト１１によって屋根駆体１に据え付けられ、壁面ブラケット１４が同じく植込ボルト１１によって外壁３に据え付けられて、これらによって本エキスパンションジョイントが屋根と壁面の間に設置される。第１の実施形態と同じく、２本のアーム片７は夫々組み込まれたコイルバネ（図示せず）によってＺ軸方向下向きに回転付勢されている。
【００１４】
上記屋根ブラケット１２の内面側に装着されたＦフレーム１３とベースガイド部材９の外面の間に弾力性を有したサイド止水部片１５が掛け渡されている他に、ベースガイド部材９の内面側と外壁ブラケット１４の間にも同材質の外壁止水部片１７が掛け渡されている。以上の全ての構成部材を覆うように、壁面カバー２０が装着されている。このような構成を有することによって、建物の３次元的な変動による隣接する建物の屋根と外壁の間の変位を吸収することができる。その変位吸収の対応は、上記第１の実施形態と本質的に同じであるので、簡略化のために説明は省略する。
【００１５】
図７に第３の実施形態であるエキスパンションジョイントを平面的に、或いは側面から見た構成で示す。当該エキスパンションジョイントは一方の建物の外壁コーナー乃至屋根と他方の建物の壁面の間にわたされている。メインガイド部材６の長手方向側面の夫々に形成された溝５にそれぞれ一端が係合する２本のアーム片７を回転支承する摺動部材８は、メインガイド部材６及びアーム片７に直交して延在するベースガイド部材９によって摺動案内されるようになっている。また上記溝５に係合する壁面支承部材１０がＬ字プレート２１と植込ボルト１１によって外壁３に固定されている。一方、ベースガイド部材９は植込ボルト１１によって外壁コーナー乃至屋根駆体４に据え付けられ、これらによって本エキスパンションジョイントが外壁コーナー乃至屋根と壁面の間に設置される。第１及び第２の実施形態と同じく、２本のアーム片７は夫々組み込まれたコイルバネ（図示せず）によって図面下向きに回転付勢されている。ベースガイド部材９とＬ字プレート２１の間に弾力性のある外壁止水部片１７’が掛け渡されている。メインガイド部材６を覆うようにガイドカバー２２が取り付けられ、当該ガイドカバー２２と外壁３との間はゴム材でつながっている。
【００１６】
以上のような構成を有することによって、建物の３次元的な変動による隣接する建物の外壁間又は屋根と外壁の間の変位を吸収することができる。その変位吸収の対応は、上記の実施形態と本質的に同じであり、一方の外壁コーナーと他方の外壁の場合のＹ軸方向、あるいは一方の屋根と他方の外壁の場合のＺ軸方向の変位対応を図８に示し、一方の外壁コーナーと他方の外壁の場合のＺ軸方向、あるいは一方の屋根と他方の外壁の場合のＹ軸方向の変位対応を図９に示す。
【００１７】
図１０に第４の実施形態であるエキスパンションジョイントを平面的に見た構成で示す。当該エキスパンションジョイントは隣接する建物の各外壁の間にわたされている。メインガイド部材６の長手方向側面（この場合はＺ軸方向上下）の夫々に形成された溝５にそれぞれ一端が係合する２本のアーム片７を回転支承する摺動部材８は、基準位置において、Ｙ軸に関して線対称に対で備えられていて、メインガイド部材６及びアーム片７に直交して延在するベースガイド部材９によってＺ軸方向に摺動案内されるようになっている。夫々のベースガイド部材９は植込ボルト１１によって外壁に据え付けられ、これらによって本エキスパンションジョイントが外壁間に設置される。上記各実施形態と同じく、２本のアーム片７は夫々組み込まれたコイルバネ（図示せず）によって図面下向きに回転付勢されている。２つのベースガイド部材９の間に弾力性のある外壁止水部片１７’が掛け渡されている。メインガイド部材６を覆うようにガイドカバー２２’が取り付けられている。
【００１８】
以上のような構成を有することによって、建物の３次元的な変動による隣接する建物の外壁間の変位を吸収することができる。その変位吸収の対応は、上記の実施形態と本質的に同じであり、Ｙ軸方向の変位対応を図１１に示す。
【００１９】
【発明の効果】
本発明によれば、長手方向側面の夫々に案内溝を有したメインガイド部材と、上記案内溝の夫々に一端が嵌合する２本のアーム片を回転支承する摺動部材と、当該摺動部材をメインガイド部材に対して直交する方向に案内するベースガイド部材とを備えて構成されることで、地震や微妙な地盤変化等に起因する建物同士の相対的で３次元的なずれに効果的に対処して、特に当該エキスパンションジョイントを屋根駆体に取り付けた場合でのベースガイド部材を上下動させるような方向でのずれにも十分に対処することができ、過剰な負荷を受けることなく建物間隙を塞ぐことができる。
【図面の簡単な説明】
【図１】本発明に係る第１の実施形態の概略斜視図である。
【図２】図１に対応する横端面的な概念図である。
【図３】第１実施形態におけるＸ軸方向のずれに対処する様子を説明する図である。
【図４】第１実施形態におけるＹ軸方向のずれに対処する様子を説明する平面的な図である。
【図５】第１実施形態におけるＺ軸方向のずれに対処する様子を説明する図である。
【図６】第２実施形態の横端面的な概念図である。
【図７】第３実施形態の横端面的な概念図である。
【図８】第３実施形態におけるＹ軸方向乃至Ｚ軸方向のずれに対処する様子を説明する図である。
【図９】第３実施形態におけるＺ軸方向乃至Ｙ軸方向のずれに対処する様子を説明する図である。
【図１０】第４実施形態の横端面的な概念図である。
【図１１】第４実施形態におけるＹ軸方向のずれに対処する様子を説明する図である。
【符号の説明】
５  案内溝
６  メインガイド部材
７  アーム片
８  摺動部材
９  ベースガイド部材
１６  中央止水部片
１８  屋根カバー
【図１】
0003936794.tif 000002
【図２】
0003936794.tif 000003
【図３】
0003936794.tif 000004
【図４】
0003936794.tif 000005
【図５】
0003936794.tif 000006
【図６】
0003936794.tif 000007
【図７】
0003936794.tif 000008
【図８】
0003936794.tif 000009
【図９】
0003936794.tif 000010
【図１０】
0003936794.tif 000011
【図１１】
0003936794.tif 000012